(57)【要約】【課題】暗い場所ではネームタグの表示事項が視認できない。【解決手段】名前、写真などを印刷した表示カードを透明表示部を有するケースに挿入したネームタグにおいて、前記ケース１は、透明カバー２を開閉自在に取着した上ケース３と、上ケース３に取着する下ケース４とよりなり、上ケース３の外周両側内壁に白色または銀色の塗装薄膜３ｂ（反射手段）を施した球面部３ｃを形成し、球面部３ｃの基部にＬＥＤチップ１２（光源）を実装し、上ケース３と下ケース４の間に、表示カード１１を上面に載せるＰＣＢ基板８を挟持し、ＰＣＢ基板８と下ケース４とで電池１０（電源）を収納する電池収納部を形成し、下ケース４に、携帯手段となるクリップ５や連結部材７を配設する。表示カードの立体印刷、透明カバーのカラー化、照明色などにバリエーションを持たせることにより、明暗に係わらず、美しく光る、装飾性の高いネームタグが提供できる。【選択図】      図６
2004317820.tif 000002
【特許請求の範囲】
【請求項１】
名前、写真など識別に必要な所定の事項を表示した表示カードと、該表示カードが挿入された状態で、前記表示カードの記載事項が視認できる透明表示部を有するケースと、該ケースを装着する携帯手段を具備したネームタグにおいて、前記ケースは、透明カバーを開閉自在に取着した上ケースと、該上ケースに取着した下ケースとよりなり、前記上ケースの外周両側内壁に反射手段を施した球面部を形成し、該上ケースに形成された球面部の基部に前記表示カードの表面を照明する光源を実装し、前記上ケースと下ケースの間に、前記表示カードを上面に載せる基板を挟持し、該基板と前記下ケースとで、前記電池を収納する電池収納部を形成し、前記下ケースに、携帯手段となる連結部材を配設したことを特徴とするネームタグ。
【請求項２】
前記光源は、ＬＥＤチップ、豆ランプ、ＥＬ、半導体レーザー素子の中の少なくとも一つからなることを特徴とする請求項１記載のネームタグ。
【請求項３】
前記上ケースの球面部の内壁に形成した反射手段は、白色または銀色の塗装被膜であることを特徴とする請求項１記載のネームタグ。
【請求項４】
前記上ケースの球面部の内壁に形成した反射手段は、金または銀のメッキ、または蒸着による金属反射膜であることを特徴とする請求項１記載のネームタグ。
【請求項５】
前記上ケースの球面部の内壁に形成した反射手段は、複数の微小なシボまたは複数の微小な点状ドットであることを特徴とする請求項１記載のネームタグ。
【請求項６】
前記透明カバーは、上面を球面に形成し、レンズ機能を持たせたことを特徴とする請求項１記載のネームタグ。
【請求項７】
前記ケース内にマイコンを搭載し、前記光源の点灯・点滅の仕様を制御したことを特徴とする請求項１記載のネームタグ。
【請求項８】
前記光源は、色調の異なる複数の光源を使用し、点灯・点滅の色を変化させたことを特徴とする請求項７記載のネームタグ。
【請求項９】
前記ケース内に加速度センサまたは角速度センサを搭載し、傾きや動作を検知して反応し、前記光源の点灯・点滅の仕様を変化させることを特徴とする請求項１記載のネームタグ。
【発明の詳細な説明】
【０００１】
【発明の属する技術分野】
本発明は、名前や写真などを表示したプレートを装着して、個人を識別するネームタグ（プレート）に係わり、更に詳しくは表示面を照明し暗い場所でも表示面が視認可能で、且つ装飾機能を具備した、光るネームタグに関する。
【０００２】
【従来の技術】
従来より、通常使用されているネームタグは、本人を識別するのに必要な、所属、名前、写真等また、会場への入場の際の許可証などを表示した紙をケースに挿入し、単にクリップや安全ピン等により衣服に装着したり、紐を通して首にぶら下げたりしていた。
【０００３】
上記した従来より一般的に使用されているネームタグについて説明する。図８はネームタグの正面図である。図８において、２０は表示カードであり、該表示カード２０には、会社名、所属、名前、写真、マーク、模様等、または、会場への入退場の際に使用する許可証など様々な必要な事項を、紙などに印刷したものである。前記表示カード２０を挿入するケース２１は、略長方形をした２枚の薄い樹脂シートの四辺を溶着し、一辺（図では上部）に表示カード２０を挿入する挿入部２２が形成されている。また、ケース２１には、表示カード２０を挿入した状態で表示内容が視認できるように、透明な表示部２３が形成されている。更に、前記ケース２１の一辺（図では上部）に衣服などに装着する際に使用するクリップ２４が取着されている連結部２５を取り付ける連結孔２６が形成されている。
【０００４】
前記挿入部２２は、２枚の樹脂シートが密着しているので、前記表示カード２０を挿入するには、前記挿入部２２を開くようにして挿入する。
【０００５】
前記構成のネームタグを使用するのに、クリップ２４で衣服に装着するか前記連結孔２６にボールチェーンや紐を通して首からぶら下げても良い。
【０００６】
【発明が解決しようとする課題】
上記したネームタグは、明るい場所では表示カードに記載されている記載事項を正確に視認することができるが、暗い場所では当然ながら全くその機能を発揮しない。また、装飾性からみても必ずしも満足するものではない。
【０００７】
本発明は上記従来の課題に鑑みなされたものであり、その目的は、明るい場所だけでなく、暗い場所や夜間でも表示カードが綺麗に光り、表示カードに記載されている内容が視認でき、アクセサリーとしても装飾性豊かな、携帯者に潤いを感じさせるネームタグを提供するものである。
【０００８】
【課題を解決するための手段】
上記目的を達成するために、本発明におけるネームタグは、名前、写真など識別に必要な所定の事項を表示した表示カードと、該表示カードを挿入された状態で、前記表示カードの記載事項が視認できる透明表示部を有するケースと、該ケースを装着する携帯手段を具備したネームタグにおいて、前記ケースは、透明カバーを開閉自在に取着した上ケースと、該上ケースに取着した下ケースとよりなり、前記上ケースの外周両側内壁に反射手段を施した球面部を形成し、該上ケースに形成された球面部の基部に前記表示カードの表面を照明する光源を実装し、前記上ケースと下ケースの間に、前記表示カードを上面に載せる基板を挟持し、該基板と前記下ケースとで、前記電池を収納する電池収納部を形成し、前記下ケースに、携帯手段となる連結部材を配設したことを特徴とするものである。
【０００９】
また、前記光源は、ＬＥＤチップ、豆ランプ、ＥＬ、半導体レーザー素子の中の少なくとも一つからなることを特徴とするものである。
【００１０】
また、前記上ケースの球面部の内壁に形成した反射手段は、白色または銀色の塗装被膜であることを特徴とするものである。
【００１１】
また、前記上ケースの球面部の内壁に形成した反射手段は、金または銀のメッキ、または蒸着による金属反射膜であることを特徴とするものである。
【００１２】
また、前記上ケースの球面部の内壁に形成した反射手段は、複数の微小なシボまたは複数の微小な点状ドットであることを特徴とするものである。
【００１３】
また、前記透明カバーは、上面を球面に形成し、レンズ機能を持たせたことを特徴とするものである。
【００１４】
また、前記ケース内にマイコンを搭載し、前記光源の点灯・点滅の仕様を制御したことを特徴とするものである。
【００１５】
また、前記光源は、色調の異なる複数の光源を使用し、点灯・点滅の色を変化させたことを特徴とするものである。
【００１６】
また、前記ケース内に加速度センサまたは角速度センサを搭載し、傾きや動作を検知して反応し、前記光源の点灯・点滅の仕様を変化させることを特徴とするものである。
【００１７】
【発明の実施の形態】
以下、図面に基づいて本発明におけるネームタグについて説明する。図１〜図７は、本発明の実施の形態に係わるネームタグで、図１はネームタグの展開図である。図２は、表面側のネームタグの斜視図、図３は、裏面側のネームタグの斜視図、図４は、透明カバーを開いた状態のネームタグの斜視図、図５は、図４で表示カードを取り除いた状態のネームタグの斜視図、図６は、ネームタグの要部断面図、図７は、本発明の他の実施の形態に係わる透明カバーと上ケースの断面図である。
【００１８】
図１〜図７において、ネームタグの構成について説明する。１はケースであり、該ケース１は、透明カバー２と、上ケース３と、下ケース４とで構成されている。前記透明カバー２は、略長方形をした透明の樹脂からなり、その一辺の端部に突起２ａが形成されていて、該突起２ａを支軸にして上ケース３に開閉自在に取着されている。２ｂはコイルバネで前記突起２ａに嵌着して透明カバー２の開閉に節度をもたせている。前記透明カバー２は、一般的には透明であるが、装飾性を増すために透視可能な淡い色に着色するなどして、カラーバリエーションを持たせても良い。
【００１９】
前記上ケース３は、略長方形状をしており、樹脂成形により上面の透明カバー側と下面の下ケース側の両面に開口部３ａを形成し、外辺両側（図では短辺）で、内壁に反射手段として白色か銀色の塗装薄膜３ｂ（図６参照）を施した球面部３ｃが形成されている。前記反射手段としては、塗装薄膜３ｂの代わりに、金または銀のメッキ、または蒸着による金属反射膜を形成するか、または、複数の微小なシボ３ｄ（図７参照）か、複数の微小な点状ドットを形成しても良い。
【００２０】前記下ケース４は、前記上ケース２と略同形状に樹脂成形され、裏面側には、ネームタグを衣服などに装着する携帯手段としてのクリップ５およびボールチェーン６や紐などを通す連結部材７が固着されている。（図３参照）
【００２１】
８はＰＣＢ基板であり、電池が入る切り欠き８ａが形成されていて、前記上ケース３と前記下ケース４との間に挟持されている。９は一対の電池バネで、前記ＰＣＢ基板８と下ケース４の間に配設されている。
【００２２】
１０は電源となる電池で、前記ＰＣＢ基板８の切り欠き８ａと下ケース４の間に形成される電池収納部に収納される。
【００２３】
１１は表示カードで、該表示カード１１には、会社名、所属、名前、写真、マーク、模様等、または、会場への入場の際に使用する許可証など様々な必要な事項が印刷されている。前記表示カード１１の表面の印刷部分の文字、図形などを盛り上げ印刷を施したり、文字部分に凹凸を付けたりして、装飾性を持たせることにより、照明効果を増すことができる。
【００２４】
１２は光源となるＬＥＤチップである。図６に示すように、前記上ケース３に形成された球面部３ｃの基部に配設した回路基板１３に２個のＬＥＤチップ１２を横向で対向して実装する。前記ＬＥＤチップ１２は、一般的には白色を使用するが、２〜３色のＬＥＤチップを１個の球体に封入してマイコンで交互点灯するようにして光りのカラーバリエーションを持たせても良い。光源として、ＬＥＤチップ以外に、豆ランプ、ＥＬ、半導体レーザー素子等を使用しても良い。前記ＬＥＤチップ１２を横向きに実装したが、上向きに実装しても良い。
【００２５】
以上述べた構成のネームタグの組み立てについて説明する。先ず、透明カバー２が装着され、ＬＥＤチップ１２が実装された上ケース３と、携帯手段としてのクリップ５と連結部材７が配設された下ケース４の間に、電池バネ９とＰＣＢ基板８を介在させて、前記上ケース３と下ケース４をビスで固定する。次に、図５に示すように、前記上ケース３と下ケース４との間に形成された電池収納部に電池１０を収納した後、前記透明カバー２を開けた状態で、図４に示すように、前記ＰＣＢ基板８上に表示カード１１を挿入し、透明カバー２を閉じることにより組み立ては完了する。
【００２６】
上記したネームタグの作用、効果について説明する。前記ネームタグに配設されている図示しないスイッチをＯＮ／ＯＦＦすることにより、ＬＥＤチップ１２が点灯、消灯する。暗い場所において、ＬＥＤチップ１２を点灯することにより、図６に示すように、ＬＥＤチップ１２からの出射光は、前方や側方に出射し、側方への出射光は上ケース３の球面部３ｃの内壁に形成された塗装薄膜３ｂで反射されて、前方への出射光と相乗して、表示カード１１の表示面を明るく一様に照明する。
【００２７】
従って、暗い場所でも表示カード１１の表示内容をはっきり視認することができる。前記したように、表示面の印刷文字を盛り上げることにより、立体的な表示を視認することもできる。前記透明カバー２をカラー化したりする。また、前記ケース１内に、マイコンを搭載して、光の出方、例えば一方が点滅、片方が点灯するか、また、交互点灯するように制御したりする。また、前記ＬＥＤチップ１２の代わりに、色調の異なる２〜３色のＬＥＤチップを１個の球体に封入して、ネームタグの光らせ方、例えば異なる色を交互に点灯・点滅したりして、暗闇の中でも集団のグループの識別ができる。光りのカラーバリエーションを持たせ、更に一層装飾性を高めることができる。
【００２８】
なお、スイッチをＯＮ／ＯＦＦ操作は、照度センサーを用いることにより自動化することもできる。また、ネームタグに加速度センサや角速度センサなどを用いて、傾きや動作を検知し、それに反応した発光の仕方の変化により、ネームタグを一層煌びやかに演出できる
【００２９】
前記ネームタグを携帯するには、クリップ５を使用して衣服に装着するか、ボールチェーン６などを使用して首などにぶら下げる。また、下ケース４の裏面に設けた連結部材７の配設位置により、ネームタグを縦長または横長にして携帯することができる。
【００３０】
また、図７に示すように、前記透明カバー２の上面側に凸レンズ部２Ａを形成し、レンズ機能を持たせることにより、表示面が拡大表示されて、さらに一層見やすくなる。
【００３１】
【発明の効果】
以上説明したように、本発明によれば、ネームタグに光源を設け、その出射光を効果的に反射させることにより、明るい場所だけでなく、特に暗い場所において、表示カードの表示面を明るく照明することにより、表示内容を容易に視認することができる。透明カバーの色彩、表示カードの立体印刷、カラー表示、光源の色彩照明などにより、アクセサリーとしても装飾性を高め、携帯者に潤いを感じさせるネームタグを提供することが可能である。
【図面の簡単な説明】
【図１】本発明の実施の形態に係わるネームタグの展開図である。
【図２】図１のネームタグの表面側の斜視図である。
【図３】図１のネームタグの裏面側の斜視図である。
【図４】図２のネームタグを透明カバーを開いた状態の斜視図である。
【図５】図４で表示カードを取り除いた状態の斜視図である。
【図６】図１のネームタグの要部断面図である。
【図７】本発明の他の実施の形態に係わる上ケースと透明カバーの断面図である。
【図８】従来の一般的なネームタグの正面図である。
【符号の説明】
１  ケース
２  透明カバー
３  上カバー
３ｂ  反射手段（塗装薄膜）
３ｃ  球面部
４  下カバー
５  クリップ
６  ボールチェーン
７  連結部材
８  ＰＣＢ基板
９  電池バネ
１０  電池
１１  表示カード
１２  ＬＥＤチップ
１３  回路基板
【図１】
2004317820.tif 000003
【図２】
2004317820.tif 000004
【図３】
2004317820.tif 000005
【図４】
2004317820.tif 000006
【図５】
2004317820.tif 000007
【図６】
2004317820.tif 000008
【図７】
2004317820.tif 000009
【図８】
2004317820.tif 000010